(57)【要約】【課題】  印刷用紙のサイズ等の記号を示す複数の記号表示部を備える表示装置において、記号表示部を外方から容易に認識できるようにする。【解決手段】  筐体に回転可能に取り付けられた回転部１７と、文字、数字図形等の各種記号からなる記号表示部２１ａ，２１ｃ，２３ａ〜２３ｃを前記回転部１７の周面１７ａの周方向に複数並べて構成した表示ラベル２１，２３と、前記筐体１５に形成され、前記回転部１７の回転位置に応じて前記複数の記号表示部２１ａ，２１ｃ，２３ａ〜２３ｃの１つを外方に露出させる表示窓１８とを備え、前記表示ラベル２１，２３が前記軸線Ｌ１方向に少なくとも２つ並べて設けられ、表示窓と表示ラベルの間に設けられた回転透過板または、上下方向に摺動する透過板を設けそれら透過板が表示ラベルの回転部の回転機構に連動し、透過部を移動させることにより、軸線方向に並んだ記号表示部の一つを表示する。【選択図】  図４
2007302425.tif 000002
【特許請求の範囲】
【請求項１】
筐体内部に設けられ、該筐体に対して軸線を中心に回転可能に取り付けられる回転部と、
文字、数字、図形等の各種記号からなる記号表示部を、前記回転部の周面の周方向に複数並べて構成した表示ラベルとを備え、
前記表示ラベルが、前記軸線方向に少なくとも２つ並べて設けられ、
前記筐体に形成され、前記複数の表示ラベルの複数を外方に露出させる表示窓と、
透過部を複数持ち、回転によって前記透過部のひとつが前記表示窓と重なり、前記表示窓の一部のみを露出させ、軸方向に複数並びたる前記表示ラベル上に並ぶ前記記号表示部のひとつを表示させる回転透過板と、
前記回転部を回転させた際に、前記回転透過板を連動して回転させる連動機構とを備えた
ことを特徴とする表示装置。
【請求項２】
前記連動機構が、前記回転部の周面にわたって設けられた歯車と、前記回転透過板に設けられた歯車とが噛み合って連動することにより動作する
ことを特徴とする請求項１に記載の表示装置。
【請求項３】
筐体内部に設けられ、該筐体に対して軸線を中心に回転可能に取り付けられる回転部と、
文字、数字、図形等の各種記号からなる記号表示部を、前記回転部の周面の周方向に複数並べて構成した表示ラベルとを備え、
前記表示ラベルが、前記軸線方向に少なくとも２つ並べて設けられ、
前記筐体に形成され、前記複数の表示ラベルの複数を外方に露出させる表示窓と、
透過部を持ち、移動によって前記透過部のひとつが前記表示窓と重なり、前記表示窓の一部のみを露出させ、軸方向に複数並びたる前記表示ラベル上に並ぶ前記記号表示部のひとつを表示させる透過板と、
前記回転部を回転させた際に、前記透過板を連動して移動させる連動機構とを備えた
ことを特徴とする表示装置。
【請求項４】
前記連動機構が、前記回転部の周面にわたって前記軸線方向に変位する波形状の溝構造と、
前記透過板に形成され、前記波形状の溝構造の一部に当接する突起部とからなる
ことを特徴とする請求項３に記載の表示装置。
【請求項５】
前記回転部の回転位置に応じて、前記回転透過板ないしは、前記透過板から外方に露出する前記記号表示部を検出する記号検出手段を備えることを特徴とする請求項１から請求項４のいずれか１項に記載の表示装置。
【請求項６】
請求項１から請求項５のいずれか１項に記載の表示装置と、
前記筐体に一体的に形成され、各種情報を印刷する画像形成装置本体に供給するための印刷用紙を収納する用紙収納部とを備え、
前記複数の記号表示部が、各々前記印刷用紙のサイズを示すことを特徴とする用紙収納装置。
【請求項７】
請求項６に記載の用紙収納装置と、
前記用紙収納部から供給された前記印刷用紙に各種情報を印刷する画像形成装置本体とを備えることを特徴とする画像形成装置。
【発明の詳細な説明】
【技術分野】
【０００１】
本発明は、プリンタ、複写機、ファクシミリ装置等の画像形成装置及びこれに設ける用紙収納装置、並びにこれに使用する表示装置に関する。
【背景技術】
【０００２】
従来、プリンタ、複写機、ファクシミリ装置等、各種画像情報を印刷用紙に印刷する画像形成装置は、各種用紙サイズの印刷用紙を収納可能な用紙収納装置を備えている（例えば、特許文献１参照）。
【０００３】
この種の用紙収納装置には、印刷用紙を収納する給紙カセット、及び、給紙カセットに設けられた表示装置が設けられている。表示装置は、複数種類の印刷用紙の用紙サイズを示す表示ラベルを備えている。この表示ラベルは、印刷用紙の用紙サイズを示す文字、数字、図形等の各種記号からなるサイズ表示（記号表示部）を複数形成して構成されており、給紙カセットに対して回転可能なダイアルに配されている。そして、このダイアルの回転位置に応じて、１つのサイズ表示部を給紙カセットに形成された表示窓から外方に露出させることができる。
【０００４】
従来、この種の表示装置には、複数のサイズ表示部をダイアルの周面に一列に並べて表示ラベルを構成したものがある。
【０００５】
【特許文献１】特開平１１−５９９２０号公報
【発明の開示】
【発明が解決しようとする課題】
【０００６】
しかしながら、従来のように複数の記号表示部をダイアルの周面に並べて配する場合には、ダイアルの周面の長さに応じて、各記号表示部を構成する各種記号の数やサイズを制限する必要がある。すなわち、ダイアルの周面の長さが短い場合には、記号表示部を構成する記号の数を減らしたり、記号サイズを縮小する必要があるため、使用者が記号表示部を容易に認識できないという問題がある。
【０００７】
この発明は、このような事情に鑑みてなされたものであって、ダイアル自体を大きくすることなく、記号表示部を容易に認識できる表示装置、用紙収納装置及び画像形成装置を提供することを目的とする。
【課題を解決するための手段】
【０００８】
上記目的を達成するために、本発明は以下の手段を提案している。
【０００９】
表示装置は、筐体内部に設けられ、該筐体に対して軸線を中心に回転可能に取り付けられる回転部と、文字、数字、図形等の各種記号からなる記号表示部を、前記回転部の周面の周方向に複数並べて構成した表示ラベルと、前記表示ラベルが、前記軸線方向に少なくとも２つ並べて設けられ、前記筐体に形成され、前記複数の表示ラベルの複数を外方に露出させる表示窓と、透過部を複数持ち、回転によって前記透過部のひとつが前記表示窓と重なり、前記表示窓の一部のみを露出させ、軸方向に複数並びたる前記表示ラベル上に並ぶ前記記号表示部のひとつを表示させる回転透過板と、前記回転部を回転させた際に、前記回転透過板を連動して回転させる連動機構とを備えたことを特徴とする。
【００１０】
また、表示装置は、筐体内部に設けられ、該筐体に対して軸線を中心に回転可能に取り付けられる回転部と、文字、数字、図形等の各種記号からなる記号表示部を、前記回転部の周面の周方向に複数並べて構成した表示ラベルと、前記表示ラベルが、前記軸線方向に少なくとも２つ並べて設けられ、前記筐体に形成され、前記複数の表示ラベルの複数を外方に露出させる表示窓と、透過部を持ち、移動によって前記透過部のひとつが前記表示窓と重なり、前記表示窓の一部のみを露出させ、軸方向に複数並びたる前記表示ラベル上に並ぶ前記記号表示部のひとつを表示させる透過板と、前記回転部を回転させた際に、前記透過板を連動して移動させる連動機構とを備えたことを特徴とする。
【００１１】
また、用紙収納装置は、上記記載の表示装置と、前記筐体に一体的に形成され、各種情報を印刷する画像形成装置本体に供給するための印刷用紙を収納する用紙収納部とを備え、前記複数の記号表示部が、各々前記印刷用紙のサイズを示すことを特徴とする。
【００１２】
また、画像形成装置は、上記記載の用紙収納装置と、上記用紙収納部から供給された前記印刷用紙に各種情報を印刷する画像形成装置本体とを備えることを特徴とする。
【発明の効果】
【００１３】
本発明の表示装置は、筐体内部に設けられ、該筐体に対して軸線を中心に回転可能に取り付けられる回転部と、文字、数字、図形等の各種記号からなる記号表示部を、前記回転部の周面の周方向に複数並べて構成した表示ラベルと、前記表示ラベルが、前記軸線方向に少なくとも２つ並べて設けられ、前記筐体に形成され、前記複数の表示ラベルの複数を外方に露出させる表示窓と、透過部を複数持ち、回転によって前記透過部のひとつが前記表示窓と重なり、前記表示窓の一部のみを露出させ、軸方向に複数並びたる前記表示ラベル上に並ぶ前記記号表示部のひとつを表示させる回転透過板と、前記回転部を回転させた際に、前記回転透過板を連動して回転させる連動機構とを備えたことを特徴とし、また、表示装置は、筐体内部に設けられ、該筐体に対して軸線を中心に回転可能に取り付けられる回転部と、文字、数字、図形等の各種記号からなる記号表示部を、前記回転部の周面の周方向に複数並べて構成した表示ラベルと、前記表示ラベルが、前記軸線方向に少なくとも２つ並べて設けられ、前記筐体に形成され、前記複数の表示ラベルの複数を外方に露出させる表示窓と、透過部を持ち、移動によって前記透過部のひとつが前記表示窓と重なり、前記表示窓の一部のみを露出させ、軸方向に複数並びたる前記表示ラベル上に並ぶ前記記号表示部のひとつを表示させる透過板と、前記回転部を回転させた際に、前記透過板を連動して移動させる連動機構とを備えたことを特徴とするため、回転透過板を回転させたり、また表示窓を軸線方向に適宜移動させることで、各表示ラベルに形成された各記号表示部を表示窓から外方に露出させることができる。また、複数の表示ラベルを軸線方向に複数並べて設けることにより、表示ラベルが１つのみの場合と比較して、各記号表示部の面積を拡大することができる。
【００１４】
特に、回転部に設けられる記号表示部の数が同じ場合には、回転部の周方向の長さを変化させることなく、各記号表示部の周方向の長さを延ばすことができる。すなわち、回転部の大きさを変えることなく、各記号表示部を構成する文字、数字、図形等の記号の数を増やしたり、記号のサイズを拡大することができ、表示窓から外方に露出する１つの記号表示部を容易に認識することが可能となる。
【００１５】
また、上記表示装置の利点を持つ上記表示装置を用いた用紙収納装置及び画像形成装置が実現した。
【発明を実施するための最良の形態】
【００１６】
円筒形の周面に表示ラベルを貼り付けた表示装置において、表示ラベルを円筒の軸線方向に複数段形成し、表示窓と回転透過板または透過板の透過部を重ねて複数段のうちのひとつの段の表示ラベルを表示することにより、幅広で多数の記号表示部を形成することを実現した。
【実施例１】
【００１７】
［装置の概要］
図１は本発明に係る一実施形態を示している。図１に示すように、画像形成装置１は、プリンタ、複写機、ファクシミリ等のように受信した印刷データに基づいて印刷用紙に印刷処理を施す画像形成装置本体３と、画像形成装置本体３に供給する印刷用紙を収納する給紙カセット（用紙収納装置）５とを備えている。画像形成装置本体３は、画像形成部７、排紙トレイ９及び操作パネル１１を備えている。
【００１８】
画像形成部７は、例えば、パーソナルコンピュータ等の外部機器からドキュメントの印刷データを受け取り、この印刷データに基づいて印刷用紙に印刷処理を施すものである。すなわち、この画像形成部７は、給紙カセット５から給紙された印刷用紙に印刷し、搬送ローラ（不図示）等により、排紙口１３から排紙トレイ９に受け渡すように構成されている。
【００１９】
排紙トレイ９は、排紙口１３から排出された印刷用紙を重ねて収容できるように、排紙口１３から鉛直方向下方側に窪んで形成され、また、その上端は鉛直方向上方に開口している。操作パネル１１は、画像形成部７における各種の印刷設定や印刷状況の確認を行うためのものであり、排紙トレイ９に隣接して配されている。
【００２０】
給紙カセット５は、画像形成装置本体３に対して引き出し及び内蔵可能に取り付けられており、用紙収納部（筐体）１５及びこれに取り付けられた回転部である、ダイアル１７を備えている。用紙収納部１５は、様々なサイズの印刷用紙を収納できるように構成されている。また、この用紙収納部１５には、ダイアル１７の周面の一部を外方に露出させる表示窓１８が形成されている。
【００２１】
ダイアル１７は、図３に示すように、略円筒状に形成されており、用紙収納部１５に対して軸線Ｌ１を中心に回転可能に取り付けられている。すなわち、ダイアル１７には、軸線Ｌ１方向に延出する軸部１９が挿通されており、ダイアル１７は、この軸部１９を中心に回転するように構成されている。
【００２２】
なお、ダイアル１７には、図示しない周知のラチェット機構が設けられており、このラチェット機構はダイアル１７が所定の回転位置から不意に回転しないよう規制するものである。
【００２３】
［表示ラベル］
ダイアル１７の周面１７ａには、２つの表示ラベル２１，２３が軸線Ｌ１方向に並べて配されている。各表示ラベル２１，２３は、図２に示すように、印刷用紙のサイズを複数の文字、数字、図形等の各種記号により示すサイズ表示部（記号表示部）２１ａ〜２１ｃ，２３ａ〜２３ｃをダイアル１７の周面の周方向に複数並べて構成されている。前述した表示窓１８は、これらサイズ表示部２１ａ〜２１ｃ，２３ａ〜２３ｃの１つを外方に露出させるように構成されている。  ここで、各表示ラベル２１，２３は、それぞれ３つのサイズ表示部２１ａ〜２１ｃ，２３ａ〜２３ｃを有しているため、ダイアル１７の周方向に関する各サイズ表示部２１ａ〜２１ｃ，２３ａ〜２３ｃの長さは、ダイアル１７の円周長さの３分の１（θ＝１２０°）となる。なお、図２における角度θは、表示ラベル２１のサイズ表示部２１ａを基準位置とした軸線Ｌ１を中心としたダイアル１７の周面１７ａの角度位置を示している。
【００２４】
また、これら６つのサイズ表示部２１ａ〜２１ｃ，２３ａ〜２３ｃは、ダイアル１７の周面１７ａ（図３）の周方向にわたって互い違いに配されている。すなわち、２つの表示ラベル２１，２３はダイアル１７の周方向に６０°だけ相互にずらして配されている。
【００２５】
［回転透過板を用いた方式］
図３に回転透過板を用いた方式のダイアル１７及び記号表示検出装置４１について示す。
【００２６】
ダイアル１７は、Ｌ１軸線を中心とした円筒形で、軸部１９のまわりに、表示ラベル部２３、２１、周面傘歯歯車６１、記号表示検出凹凸４５，４７が取り付けられている。
【００２７】
記号表示検出装置４１は、記号表示検出凹凸４５、４７を検出するための記号表示検出突起４３ａ、４３ｂ、４３ｃを備えており、４３ａ、４３ｂ、４３ｃのそれぞれの突起が、対応する記号表示検出凹凸４５，４７の各ａｂｃ部の凹凸を検出して、透過部７３ａまたは７３ｂ（図４）から表示されている記号表示が何であるかを検出する役割を持つ。
【００２８】
図では、４７ａ、４７ｂが黒丸で書かれているのは、凹部を示し、白丸で書かれている４７ｃは、凹部が無く平面である。ひとつの記号表示検出凹凸部で２値を表すことができるので、３個の凹凸部で８通りの表現が可能となり、図２に示した実施例では、記号表示部が６通りであるので、前記３個の記号表示検出凹凸で表現することができる。
【００２９】
周面傘歯歯車６１は、回転透過板の傘歯歯車６３と連動して動作する。
【００３０】
図４を用いてその回転機構について説明する。
【００３１】
回転透過板７１は、その中心軸６５を筐体部に支えられて表示窓１８とダイアル１７の間に位置している。回転透過板７１には、傘歯歯車６３が取り付けられており、ダイアル１７の周面傘歯歯車６１と噛み合い、ダイアル１７の回転に連動して回転する機構になっている。図４では、回転透過板に開いているふたつの透過部のうち中心軸より距離の近い７３ａが、ちょうど記号表示部２１ｂの上に重なっており、Ｂ５のラベルが表示窓１８を通して確認される。
【００３２】
図３で、ダイアルが左方向に６０度回転すると、すなわち最初正面を向いている２１ｂで示されるＢ５の表示が左方向へ６０度回転すると、代わって記号表示部の２３ｂで示されるＬＥＴＴＥＲのラベルがちょうど正面に来る。図５に回転し終わった様子を示す。
【００３３】
この場合、回転透過板７１は、前記周面傘歯歯車６１と傘歯歯車６３の噛み合いにより、反時計方向にちょうど１８０度回転し、二つの透過部７３ａ、７３ｂのうちの中心軸より距離が遠い方の透過部である７３ｂが記号表示部２３ｂの上に重なり、表示窓１８を通して、ＬＥＴＴＥＲの文字が確認できるようになる。（図６）
［実施例１の効果］
実施例１による回転透過板７１と傘歯歯車（６１、６３）を組み合わせた機構が、ダイアル１７の回転により表示ラベルの上段２３と下段２１の上に回転透過板７１の透過部７３ａ、７３ｂが交互に重なり合うことにより記号表示部２１ａ〜ｃ、２３ａ〜ｃのひとつを表示するので、周面を大きく使った表示ラベルでも多数の記号表示部を表示することが可能となった。
【実施例２】
【００３４】
［溝と突起により軸線方向に移動する透過板を用いた方式］
次にダイアル部に設けた溝と、透過板１８に設けた突起部８５により、透過板１８が軸方向に移動し異なる記号表示部を表示する方式について実施例２として説明する。
【００３５】
実施例２の装置の概要は、実施例１と全く同じであるので説明を省略する。
【００３６】
また、表示ラベルも実施例１において図２を使って説明したものと同じである。
【００３７】
図７に実施例２のダイアル１７について説明する。
【００３８】
図７の記号表示検出装置４１、及び記号表示検出凹凸４５、４７も実施例１と同じなので説明を省略する。
【００３９】
実施例２のダイアル部１７は、実施例１と違い周面傘歯歯車６１を持たず、代わりに波形の溝部９１を持つ。この波形の溝９１に、図８に示す、矩形の透過板８１の中心部に設けられている突起部８５が差し込まれている。透過板８１は、表示窓１８とダイアル１７の間に位置し、透過板８１の側面が上下方向に移動可能なように筐体により支持されている。
【００４０】
透過板８１には、透過部８３がひとつだけ開いており、図８では、表示窓を通して記号表示部の下段の２１ｂである、Ｂ５の表示が確認できる。この場合、突起部８５は、溝部９１が一番下方に下がった位置に収まっている。ここから、回転ダイアルを図の左方向に回転させると波形の溝部も回転し、透過板８１は、筐体により上下方向のみの移動が可能となっているため、突起部８５が溝部９１の動きに合わせて上方に移動する。
【００４１】
回転ダイアルが６０度回転すると、図９に示すように２３ｂの記号表示部である、ＬＥＴＴＥＲ表示が正面に表示され、その時透過板は、図１０に示すように透過部８３が、前記ＬＥＴＴＥＲの表示部に重なるようになり、表示窓１８より、ＬＥＴＴＥＲの表示が確認できるようになる。
【００４２】
［実施例２の効果］
実施例２による透過板と波形の溝及び突起部を組み合わせた機構により、透過板８１が上下し、表示ラベルの上段２３と下段２１の間を透過板８１の透過部８３が移動するため、周面を大きく使った表示ラベルでも多数の記号表示部を表示することが可能となった。
［その他］
本実施例では、表示ラベルは上下２段の場合についての実施例を示したが、表示ラベルは三段以上により行うことも可能である。
【００４３】
また、本実施例では、表示ラベルの一段を三区画に区切ったが、これを４区画またはそれ以上に区切ることも可能で、上下三段、一段４区画を採用することにより、１２通りの記号表示部を持たせることも可能である。
【００４４】
実施例１において、透過部７３ａまたは７３ｂの配置は周面傘歯歯車６１と傘歯歯車６３とのギア比によって決まり、表示ラベルの各段の表示が順番に重なるように、段数の倍数だけ配置させればよい。例えば、透過部７３ａ、ｂを９０°毎に４つ配置させることや６０°ごとに６つ配置させることも可能である。
【００４５】
透過部７３ａ、７３ｂ、８３は、開口した孔であっても良いし、透明の板であってもよい。
【図面の簡単な説明】
【００４６】
【図１】画像形成装置の内部構造を示す図である（実施例１、２）。
【図２】表示ダイアルの周面に貼り付けられている表示ラベルを平面状に並べた図である（実施例１、２）。
【図３】回転ダイアルの図である（実施例１）。
【図４】図３の回転ダイアルに回転透過板を重ねた図である（実施例１）。
【図５】図３において、回転ダイアルが６０度回転した図である（実施例１）。
【図６】図４において、回転ダイアルが６０度回転した図である（実施例１）。
【図７】回転ダイアルの図である（実施例２）。
【図８】図７の回転ダイアルに表示窓を重ねた図である（実施例２）。
【図９】図７において、回転ダイアルが６０度回転した図である（実施例２）。
【図１０】図８において、回転ダイアルが６０度回転した図である（実施例２）。
【符号の説明】
【００４７】
１  画像形成装置
３  画像形成装置本体
５  給紙カセット（用紙収納装置）
１５  用紙収納部（筐体）
１７  回転ダイアル（回転部）
１８  表示窓
２１，２３  表示ラベル
２１ａ〜２１ｃ，２３ａ〜２３ｃ  サイズ表示部（記号表示部）
４１  記号表示検出装置（記号検出手段）
４７ａ、４７ｂ、４７ｃ、４９ａ、４９ｂ、４９ｃ  記号表示検出凹凸（記号検出手段）
６１  周面傘歯歯車
６３  傘歯歯車
７１  回転透過板
７３ａ、７３ｂ  透過部
８１  透過板
８３  透過部
８５  透過板突起部
９１  溝部
【図１】
2007302425.tif 000003
【図２】
2007302425.tif 000004
【図３】
2007302425.tif 000005
【図４】
2007302425.tif 000006
【図５】
2007302425.tif 000007
【図６】
2007302425.tif 000008
【図７】
2007302425.tif 000009
【図８】
2007302425.tif 000010
【図９】
2007302425.tif 000011
【図１０】
2007302425.tif 000012